(57)【要約】    【課題】  板金部材に折曲げ形成した既存の端子部をそのまま利用して、ねじ孔に金具を螺着する際の端子部の捩れを防止する。    【解決手段】  ねじ８をねじ孔６に締め付ける際に、ねじ８から端子部５に捩り力が作用するが、端子部５は樹脂ケース１に設けた壁部45，46に当接して、それ以上捩じられなくなる。即ち、底板板金３の材厚全体を厚くしたり、補強用に端子部５の基部である立上がり部を幅広にしたり、端子部５にわざわざリブを形成しなくても、端子部５の捩じれ方向に樹脂ケース１の壁部45，46を設けるだけで、既存の端子部５をそのまま利用して、ねじ孔６にねじ８を螺着する際の端子部５の捩れを防止することが可能になる。    【選択図】    図１
2005276569.tif 000002
【特許請求の範囲】
【請求項１】
ケース部材と共に筐体をなす板金部材に、ねじ孔を有する端子部を折曲げ形成し、前記ねじ孔に金具を螺着してこの金具を前記端子部に固定する電子機器において、前記金具の固定時に前記端子部に当接して、この端子部の捩れを規制する壁部を前記ケース部材に設けたことを特徴とする電子機器。
【発明の詳細な説明】
【技術分野】
【０００１】
この発明は、板金部材に折曲げ形成した端子部のねじ孔に金具を螺着して、この金具を前記端子部に固定する構造を有した電子機器に関するものである。
【背景技術】
【０００２】
一般に、この種の電子機器は例えば特許文献１に示すように、矩形箱状の筐体内部に各種回路素子が収容されると共に、筐体の例えば前面には外部接続用の入出力端子やグランド端子などが設けられる。グランド端子は、筐体の板金部材に形成されたねじ孔を有する端子部と、ねじ孔に螺着するねじとにより構成され、アース線の先端にある圧着端子を、このグランド端子に連結して電子機器を接地するようにしている。
【０００３】
図４は、こうしたグランド端子を備えた電子機器の従来例を示すものである。同図において、１は電子機器の外郭である筐体２をなす樹脂ケース、３はこの樹脂ケースの下面開口を塞ぐ板金部材としての底板板金で、この底板板金３の一側端部には逆Ｌ字状に折り返された端子部５が、底板板金３と一体的に折曲げ形成される。この端子部５は底板板金３の一側から垂直に立設する基部としての立上り部５Ａと、当該立上り部５Ａの上端縁より水平に延びる座部５Ｂとからなり、座部５Ｂの略中央部には例えばバーリング加工されたねじ孔６が開口形成される。
【０００４】
一方、８はワッシャ付きのねじで、これは前記ねじ孔６に螺着する金具に相当する。当該電子機器をアース接地する場合には、このねじ８と端子部５とによるグランド端子を利用する。具体的には、ねじ８をねじ孔６に螺着することにより、アース線の先端にある圧着端子（図示せず）をねじ８の頭部と端子部５との間に挟持させることで、電子機器のアース接地が図られるようになっている。
【特許文献１】特開２００２−１６４６６９号公報
【発明の開示】
【発明が解決しようとする課題】
【０００５】
上記図４に示す構造では、薄板状の底板板金３を折曲げて端子部５を形成しているため、底板板金３が十分な強度の板厚を有していないと、ねじ８を規定トルクでねじ孔６に締め付ける際に、ねじ８の締め付け方向に変形して捩れが生じてしまう（図５に示す捩れ部10参照）。
【０００６】
このような不具合を避けるために、従来は規定のトルクによるねじ締めに耐え得るように、例えば端子部５を底板板金３とは別の円筒状で雌ねじ孔付きの端子金具で構成し、この端子金具の基端を底板板金３に打ち込こんだものが知られている。しかし、この場合は底板板金３とは別部材の端子金具を必要とするため、コストアップの要因を招いてしまう。
【０００７】
また別な手法として、底板板金３の材厚を図４や図５に示すものよりも厚くしたり、或いは別の図６に示すように、捩れ部10が形成される端子部５の立上り部５Ａを補強するために、この立上り部５Ａの左右方向を幅広に形成したり、さらに別の図７に示すように、立上り部５Ａの両側に補強用のリブ５Ｃを一体的に形成することが考えられる。しかしいずれの場合も、底板板金３の材料増加を余儀なくされるため、端子金具を設けた場合と同様にコストアップの要因となる。
【０００８】
本発明は上記の課題に着目してなされたもので、板金部材に折曲げ形成した既存の端子部をそのまま利用して、ねじ孔に金具を螺着する際の端子部の捩れを防止することが可能な電子機器を提供することをその目的とする。
【課題を解決するための手段】
【０００９】
請求項１の発明は、ケース部材と共に筐体をなす板金部材に、ねじ孔を有する端子部を折曲げ形成し、前記ねじ孔に金具を螺着してこの金具を前記端子部に固定する電子機器において、前記金具の固定時に前記端子部に当接して、この端子部の捩れを規制する壁部を前記ケース部材に設けたものである。
【００１０】
この場合、金具をねじ孔に締め付ける際に、端子部に捩り力が作用するが、端子部はケース部材の壁部に当接して、それ以上捩じられなくなる。即ち、板金部材の材厚全体を厚くしたり、補強用に端子部の基部を幅広にしたり、端子部にリブを形成しなくても、端子部の捩じれ方向にケース部材の壁部を設けるだけで、既存の端子部をそのまま利用して、ねじ孔に金具を螺着する際の端子部の捩れを防止することが可能になる。
【発明の効果】
【００１１】
請求項１の発明によれば、板金部材に折曲げ形成した既存の端子部をそのまま利用して、ねじ孔に金具を螺着する際の端子部の捩れを防止することが可能な電子機器を提供できる。
【発明を実施するための最良の形態】
【００１２】
以下、本発明における電子機器の好ましい実施形態について、添付図面を参照しながら詳細に説明する。なお、前記従来例における図４〜図７と同一箇所には同一符号を付し、その共通する部分の説明は重複するため省略する。
【００１３】
図１〜図３の各図において、２は本実施例において電子機器として適用されるノイズフィルタの筐体で、この筐体２の内部には、周知のチョークコイルやコンデンサなどのノイズ除去回路が実装される。筐体２は、前述のように下面を開口したケース部材としての樹脂ケース１と、この樹脂ケース１の下面開口を塞ぐ板金部材としての底板板金３とにより構成され、全体として矩形箱型状に形成される。勿論、筐体２の形状は実施例中のものに限定されない。
【００１４】
前記底板板金３は、樹脂ケース１の左右側面よりそれぞれ外方に延び出したフランジ状の端子基部11，12が形成され、一方の端子基部11の略中央にはノイズフィルタの入力端子21が設けられると共に、他方の端子基部12の略中央にはノイズフィルタの出力端子22が設けられる。入力端子21は、絶縁性部材である例えば樹脂製の端子台本体31と、この端子台本体31の上面に設けられる導電性の端子片32と、端子片32の略中央に形成したねじ孔（図示せず）に螺合する同じく導電性の端子ねじ33とにより構成される。また出力端子22も、絶縁性部材である例えば樹脂製の端子台本体41と、この端子台本体41の上面に設けられる導電性の端子片42と、端子片42の略中央に形成したねじ孔（図示せず）に螺合する同じく導電性の端子ねじ43とにより構成される。ここでいう端子台本体31，41は、前記樹脂ケース１と一体的に形成され、樹脂ケース1と共にノイズフィルタの外郭となる筐体２のケース部材を構成するものである。また、本実施例における樹脂ケース１は、筐体２の側面をなすケース本体１Ａと、このケース本体１Ａの上面開口部を覆うカバー１Ｂとにより構成される。さらにこのカバー１Ｂには、入力端子21および出力端子22の上部を覆う開閉可能な蓋体36が設けられる。
【００１５】
図１に示すように、端子部５は樹脂ケース１の両側外方にあって、底板板金３の隅部に位置して、前記底板板金３と一体的に折曲げ形成される。端子部５は底板板金３の平板状底部３Ａより逆Ｌ字状に折り返されていて、この底部３Ａから垂直に立設する基部としての立上り部５Ａと、当該立上り部５Ａの上端縁にその基端が連結して、そこから先端に向けて水平に延びる矩形状の座部５Ｂとからなり、座部５Ｂの略中央部にはねじ８を螺合するための例えばバーリング加工されたねじ孔６が開口形成される。本実施例における端子部５とねじ８は、ノイズフィルタのグランド端子として作用するが、それ以外の機能を有する端子に適用しても構わない。
【００１６】
45，46は、前記端子部５の座部５Ａの先端側面およびねじ８が締め付けられる方向の一側側面にそれぞれ対向して、前記樹脂ケース１の側面に形成した壁部である。この壁部45，46は、ねじ８の締め付け前に端子部５と当接させる必要はないが、ねじ８の締め付け中に、少なくとも図５に示すような塑性変形した捩り部10が端子部５に生じないうちに、端子部５と当接するのが好ましい。その理由は、製造時において、端子部５や樹脂ケース１の寸法誤差があるので、これを見越してねじ８の締め付け前に壁部45，46を端子部５と当接させるのが困難なためである。また本実施例では、壁部45，46を端子部５の周囲の異なる２方向に設けているが、そのうちの一方の壁部46は、端子部５の先端が嵌まり込むスリット状の溝47に形成される。なお、他方の壁部45も同様に溝の側面として樹脂ケース１に形成されてもよい。
【００１７】
次に上記構成について説明すると、本実施例における電子機器はノイズフィルタとしての役目を持つ。即ち、入力端子21には商用電源（図示せず）からの電源ラインに連結するリード線が接続され、出力端子22には前記商用電源からの交流電力を受けて動作する負荷へのリード線が接続される。これにより、当該ノイズフィルタを通して商用電源からの交流電力を負荷に供給しつつ、負荷からのノイズを効果的に除去することができる。
【００１８】
また、本実施例におけるノイズフィルタの筐体２をアース接地する場合は、ワッシャ付きのねじ８の頭部と端子部５との間にアース線の先端にある圧着端子（図示せず）を配置し、この状態からドライバー（図示せず）などの工具で、図１に示す矢印Ｆの方向にねじ８を回してねじ８を端子部５のねじ孔６に螺着する。これにより、前記圧着端子はねじ８の頭部と端子部５との間に挟持され、筐体２は電気的にアース接地された状態になる。また、ねじ８を規定トルクで締め付ける際には、ねじ８の回転力が端子部５に作用し、端子部５の座部５Ｂの先端側面と一側側面が樹脂ケース１の壁部45，46に突き当たって、それ以上の端子部５の変形が阻止されるため、端子部５の立上がり部５Ａには、図５に示すような塑性変形した捩り部10は形成されない。逆に、ねじ８を矢印Ｆとは反対の方向に回して、ねじ孔から緩めようとする際に、ねじ８から端子部５に捩り力が作用する場合があるが、これも座部５Ｂの先端側面が樹脂ケース１の壁部46に突き当たって、それ以上の端子部５の変形が阻止されるので、同様に塑性変形した捩り部10は形成されない。このように、本実施例における凹状の溝47は、ねじ８をねじ孔６に締め付ける方向だけでなく、ねじ８をねじ孔６から緩める方向にも、端子部５の捩じれを規制することができ、どちらの方向に金具であるねじ８を回した場合でも、端子部５の捩れを防止できる。
【００１９】
さらに本実施例では、一方の壁部46が溝部47の側面として形成されるので、端子部５の先端がこの溝47に嵌まり込む状態となって、より一層端子部５の無理な変形を防止することができる。特にこの溝47は、端子部５の座部５Ｂの先端側面のみならず先端上面にも臨んでいるため、例えばアース線を端子部５に接続した状態で、このアース線が端子部５の座部５Ｂの先端を持ち上げるように引っ張られた時でも、座部５Ｂの先端上面が溝47の内面に突き当たって、同様に端子部５の変形を防止できる。このように、本実施例における凹状の溝47は、ねじ８をねじ孔６に締め付けたり緩めたりする場合に限らず、座部５Ｂの先端を持ち上げるような力が生じた場合にも、端子部５の捩れを防止できる。
【００２０】
以上のように本実施例によれば、ケース部材である樹脂ケース１や端子台本体31，41と共に筐体２をなす板金部材としての底板板金３に、ねじ孔６を有する端子部５を折曲げ形成し、前記ねじ孔６に金具であるねじ８を螺着して、このねじ８を端子部５に固定するノイズフィルタなどの電子機器において、ねじ８の固定時に端子部５に当接して、この端子部５の捩れを規制する壁部45，46を樹脂ケース１に設けている。
【００２１】
この場合、ねじ８をねじ孔６に締め付ける際に、ねじ８から端子部５に捩り力が作用するが、端子部５は樹脂ケース１に設けた壁部45，46に当接して、それ以上捩じられなくなる。即ち、底板板金３の材厚全体を厚くしたり、補強用に端子部５の基部である立上がり部５Ａを幅広にしたり、端子部５にわざわざリブ５Ｃ（図７参照）を形成しなくても、端子部５の捩じれ方向に樹脂ケース１の壁部45，46を設けるだけで、既存の端子部５をそのまま利用して、ねじ孔６にねじ８を螺着する際の端子部５の捩れを防止することが可能になる。
【００２２】
なお、本発明は上記実施例に限定されるものではなく、本発明の要旨の範囲において種々の変形実施が可能である。例えば上記実施例の電子機器はノイズフィルタであったが、板金部材と一体に折曲げ形成した端子部を有するあらゆる電子機器に適用が可能である。また、ケース部材としての樹脂ケース１と端子台本体31，41は別体でもよく、これらの樹脂ケース１や端子台本体31，41以外のケース部材に壁部45，46を設けてもよい。
【図面の簡単な説明】
【００２３】
【図１】本発明の一実施例における電子機器の平面図である。
【図２】同上、電子機器の正面図である。
【図３】同上、電子機器の右側面図である。
【図４】従来例における電子機器の端子部周辺の構成を示し、（ａ）はその正面図，（ｂ）はその側面図を示している。
【図５】図４において、規定トルクでねじ締めを行なった場合の端子部周辺の構成を示し、（ａ）はその正面図，（ｂ）はその側面図を示している。
【図６】従来例において、端子部の立上り部を幅広にした場合の要部構成を示し、（ａ）はその正面図，（ｂ）はその側面図を示している。
【図７】従来例において、端子部の立上り部にリブを折曲げ形成した場合の要部構成を示し、（ａ）はその正面図，（ｂ）はその側面図を示している。
【符号の説明】
【００２４】
１  樹脂ケース（ケース部材）
３  底板板金（板金部材）
５  端子部
６  ねじ孔
８  ねじ（金具）
45，46  壁部
【図１】
2005276569.tif 000003
【図２】
2005276569.tif 000004
【図３】
2005276569.tif 000005
【図４】
2005276569.tif 000006
【図５】
2005276569.tif 000007
【図６】
2005276569.tif 000008
【図７】
2005276569.tif 000009
【手続補正書】
【提出日】平成17年6月24日(2005.6.24)
【手続補正１】
【補正対象書類名】特許請求の範囲
【補正対象項目名】全文
【補正方法】変更
【補正の内容】
【特許請求の範囲】
【請求項１】
ケース部材と共に筐体をなす板金部材に、ねじ孔を有する端子部を折曲げ形成し、前記ねじ孔に金具を螺着してこの金具を前記端子部に固定する電子機器において、前記金具の固定時に前記端子部に当接して、この端子部の捩れを規制する壁部を前記ケース部材に設けたことを特徴とする電子機器。
【請求項２】
前記壁部は、前記金具の固定時に前記端子部の先端側面に当接して、この端子部の捩れを規制するものであることを特徴とする請求項１記載の電子機器。
【請求項３】
前記壁部は、前記金具の固定時に前記端子部の前記金具が締め付けられる方向の一側側面に当接して、この端子部の捩れを規制するものであることを特徴とする請求項１又は請求項２記載の電子機器。
【請求項４】
前記壁部が前記端子部の端部が嵌まり込む溝に形成されたことを特徴とする請求項１記載の電子機器。
【請求項５】
前記板金部材は、前記ケース部材の側面より外方に延び出した端子基部が形成されたものであり、この端子基部に端子台本体と前記端子部とを設けると共に、当該端子台本体の側面に前記壁部を形成したことを特徴とする請求項１〜４のいずれか１つに記載の電子機器。
【請求項６】
前記端子部が前記板金部材の対角位置に設けられたことを特徴とする請求項１〜５のいずれか１つに記載の電子機器。
【請求項７】
前記対角位置は、前記端子部の前記金具が締め付けられる方向の一側側面と前記壁部とが前記金具の固定時に当接する位置関係になるよう決定されるものであることを特徴とする請求項６記載の電子機器。
【手続補正２】
【補正対象書類名】明細書
【補正対象項目名】全文
【補正方法】変更
【補正の内容】
【発明の詳細な説明】
【技術分野】
【０００１】
この発明は、板金部材に折曲げ形成した端子部のねじ孔に金具を螺着して、この金具を前記端子部に固定する構造を有した電子機器に関するものである。
【背景技術】
【０００２】
一般に、この種の電子機器は例えば特許文献１に示すように、矩形箱状の筐体内部に各種回路素子が収容されると共に、筐体の例えば前面には外部接続用の入出力端子やグランド端子などが設けられる。グランド端子は、筐体の板金部材に形成されたねじ孔を有する端子部と、ねじ孔に螺着するねじとにより構成され、アース線の先端にある圧着端子を、このグランド端子に連結して電子機器を接地するようにしている。
【０００３】
図４は、こうしたグランド端子を備えた電子機器の従来例を示すものである。同図において、１は電子機器の外郭である筐体２をなす樹脂ケース、３はこの樹脂ケースの下面開口を塞ぐ板金部材としての底板板金で、この底板板金３の一側端部には逆Ｌ字状に折り返された端子部５が、底板板金３と一体的に折曲げ形成される。この端子部５は底板板金３の一側から垂直に立設する基部としての立上り部５Ａと、当該立上り部５Ａの上端縁より水平に延びる座部５Ｂとからなり、座部５Ｂの略中央部には例えばバーリング加工されたねじ孔６が開口形成される。
【０００４】
一方、８はワッシャ付きのねじで、これは前記ねじ孔６に螺着する金具に相当する。当該電子機器をアース接地する場合には、このねじ８と端子部５とによるグランド端子を利用する。具体的には、ねじ８をねじ孔６に螺着することにより、アース線の先端にある圧着端子（図示せず）をねじ８の頭部と端子部５との間に挟持させることで、電子機器のアース接地が図られるようになっている。
【特許文献１】特開２００２−１６４６６９号公報
【発明の開示】
【発明が解決しようとする課題】
【０００５】
上記図４に示す構造では、薄板状の底板板金３を折曲げて端子部５を形成しているため、底板板金３が十分な強度の板厚を有していないと、ねじ８を規定トルクでねじ孔６に締め付ける際に、ねじ８の締め付け方向に変形して捩れが生じてしまう（図５に示す捩れ部10参照）。
【０００６】
このような不具合を避けるために、従来は規定のトルクによるねじ締めに耐え得るように、例えば端子部５を底板板金３とは別の円筒状で雌ねじ孔付きの端子金具で構成し、この端子金具の基端を底板板金３に打ち込こんだものが知られている。しかし、この場合は底板板金３とは別部材の端子金具を必要とするため、コストアップの要因を招いてしまう。
【０００７】
また別な手法として、底板板金３の材厚を図４や図５に示すものよりも厚くしたり、或いは別の図６に示すように、捩れ部10が形成される端子部５の立上り部５Ａを補強するために、この立上り部５Ａの左右方向を幅広に形成したり、さらに別の図７に示すように、立上り部５Ａの両側に補強用のリブ５Ｃを一体的に形成することが考えられる。しかしいずれの場合も、底板板金３の材料増加を余儀なくされるため、端子金具を設けた場合と同様にコストアップの要因となる。
【０００８】
本発明は上記の課題に着目してなされたもので、板金部材に折曲げ形成した既存の端子部をそのまま利用して、ねじ孔に金具を螺着する際の端子部の捩れを防止することが可能な電子機器を提供することをその目的とする。
【課題を解決するための手段】
【０００９】
請求項１の発明は、ケース部材と共に筐体をなす板金部材に、ねじ孔を有する端子部を折曲げ形成し、前記ねじ孔に金具を螺着してこの金具を前記端子部に固定する電子機器において、前記金具の固定時に前記端子部に当接して、この端子部の捩れを規制する壁部を前記ケース部材に設けたものである。
【００１０】
この場合、金具をねじ孔に締め付ける際に、端子部に捩り力が作用するが、端子部はケース部材の壁部に当接して、それ以上捩じられなくなる。即ち、板金部材の材厚全体を厚くしたり、補強用に端子部の基部を幅広にしたり、端子部にリブを形成しなくても、端子部の捩じれ方向にケース部材の壁部を設けるだけで、既存の端子部をそのまま利用して、ねじ孔に金具を螺着する際の端子部の捩れを防止することが可能になる。
【００１１】
請求項２の発明は、前記壁部は、前記金具の固定時に前記端子部の先端側面に当接して、この端子部の捩れを規制するものである。
【００１２】
請求項３の発明は、前記壁部は、前記金具の固定時に前記端子部の前記金具が締め付けられる方向の一側側面に当接して、この端子部の捩れを規制するものである。
【００１３】
請求項４の発明は、前記壁部が前記端子部の端部が嵌まり込む溝に形成されている。
【００１４】
請求項５の発明は、前記板金部材は、前記ケース部材の側面より外方に延び出した端子基部が形成されたものであり、この端子基部に端子台本体と前記端子部とを設けると共に、当該端子台本体の側面に前記壁部を形成している。
【００１５】
請求項６の発明は、前記端子部が前記板金部材の対角位置に設けられている。
【００１６】
請求項７の発明は、前記対角位置は、前記端子部の前記金具が締め付けられる方向の一側側面と前記壁部とが前記金具の固定時に当接する位置関係になるよう決定されるものである。
【発明の効果】
【００１７】
請求項１〜７の発明によれば、板金部材に折曲げ形成した既存の端子部をそのまま利用して、ねじ孔に金具を螺着する際の端子部の捩れを防止することが可能な電子機器を提供できる。
【発明を実施するための最良の形態】
【００１８】
以下、本発明における電子機器の好ましい実施形態について、添付図面を参照しながら詳細に説明する。なお、前記従来例における図４〜図７と同一箇所には同一符号を付し、その共通する部分の説明は重複するため省略する。
【００１９】
図１〜図３の各図において、２は本実施例において電子機器として適用されるノイズフィルタの筐体で、この筐体２の内部には、周知のチョークコイルやコンデンサなどのノイズ除去回路が実装される。筐体２は、前述のように下面を開口したケース部材としての樹脂ケース１と、この樹脂ケース１の下面開口を塞ぐ板金部材としての底板板金３とにより構成され、全体として矩形箱型状に形成される。勿論、筐体２の形状は実施例中のものに限定されない。
【００２０】
前記底板板金３は、樹脂ケース１の左右側面よりそれぞれ外方に延び出したフランジ状の端子基部11，12が形成され、一方の端子基部11の略中央にはノイズフィルタの入力端子21が設けられると共に、他方の端子基部12の略中央にはノイズフィルタの出力端子22が設けられる。入力端子21は、絶縁性部材である例えば樹脂製の端子台本体31と、この端子台本体31の上面に設けられる導電性の端子片32と、端子片32の略中央に形成したねじ孔（図示せず）に螺合する同じく導電性の端子ねじ33とにより構成される。また出力端子22も、絶縁性部材である例えば樹脂製の端子台本体41と、この端子台本体41の上面に設けられる導電性の端子片42と、端子片42の略中央に形成したねじ孔（図示せず）に螺合する同じく導電性の端子ねじ43とにより構成される。ここでいう端子台本体31，41は、前記樹脂ケース１と一体的に形成され、樹脂ケース1と共にノイズフィルタの外郭となる筐体２のケース部材を構成するものである。また、本実施例における樹脂ケース１は、筐体２の側面をなすケース本体１Ａと、このケース本体１Ａの上面開口部を覆うカバー１Ｂとにより構成される。さらにこのカバー１Ｂには、入力端子21および出力端子22の上部を覆う開閉可能な蓋体36が設けられる。
【００２１】
図１に示すように、端子部５は樹脂ケース１の両側外方にあって、底板板金３の隅部に位置して、前記底板板金３と一体的に折曲げ形成される。端子部５は底板板金３の平板状底部３Ａより逆Ｌ字状に折り返されていて、この底部３Ａから垂直に立設する基部としての立上り部５Ａと、当該立上り部５Ａの上端縁にその基端が連結して、そこから先端に向けて水平に延びる矩形状の座部５Ｂとからなり、座部５Ｂの略中央部にはねじ８を螺合するための例えばバーリング加工されたねじ孔６が開口形成される。本実施例における端子部５とねじ８は、ノイズフィルタのグランド端子として作用するが、それ以外の機能を有する端子に適用しても構わない。
【００２２】
45，46は、前記端子部５の座部５Ａの先端側面およびねじ８が締め付けられる方向の一側側面にそれぞれ対向して、前記樹脂ケース１の側面に形成した壁部である。この壁部45，46は、ねじ８の締め付け前に端子部５と当接させる必要はないが、ねじ８の締め付け中に、少なくとも図５に示すような塑性変形した捩り部10が端子部５に生じないうちに、端子部５と当接するのが好ましい。その理由は、製造時において、端子部５や樹脂ケース１の寸法誤差があるので、これを見越してねじ８の締め付け前に壁部45，46を端子部５と当接させるのが困難なためである。また本実施例では、壁部45，46を端子部５の周囲の異なる２方向に設けているが、そのうちの一方の壁部46は、端子部５の先端が嵌まり込むスリット状の溝47に形成される。なお、他方の壁部45も同様に溝の側面として樹脂ケース１に形成されてもよい。
【００２３】
次に上記構成について説明すると、本実施例における電子機器はノイズフィルタとしての役目を持つ。即ち、入力端子21には商用電源（図示せず）からの電源ラインに連結するリード線が接続され、出力端子22には前記商用電源からの交流電力を受けて動作する負荷へのリード線が接続される。これにより、当該ノイズフィルタを通して商用電源からの交流電力を負荷に供給しつつ、負荷からのノイズを効果的に除去することができる。
【００２４】
また、本実施例におけるノイズフィルタの筐体２をアース接地する場合は、ワッシャ付きのねじ８の頭部と端子部５との間にアース線の先端にある圧着端子（図示せず）を配置し、この状態からドライバー（図示せず）などの工具で、図１に示す矢印Ｆの方向にねじ８を回してねじ８を端子部５のねじ孔６に螺着する。これにより、前記圧着端子はねじ８の頭部と端子部５との間に挟持され、筐体２は電気的にアース接地された状態になる。また、ねじ８を規定トルクで締め付ける際には、ねじ８の回転力が端子部５に作用し、端子部５の座部５Ｂの先端側面と一側側面が樹脂ケース１の壁部45，46に突き当たって、それ以上の端子部５の変形が阻止されるため、端子部５の立上がり部５Ａには、図５に示すような塑性変形した捩り部10は形成されない。逆に、ねじ８を矢印Ｆとは反対の方向に回して、ねじ孔から緩めようとする際に、ねじ８から端子部５に捩り力が作用する場合があるが、これも座部５Ｂの先端側面が樹脂ケース１の壁部46に突き当たって、それ以上の端子部５の変形が阻止されるので、同様に塑性変形した捩り部10は形成されない。このように、本実施例における凹状の溝47は、ねじ８をねじ孔６に締め付ける方向だけでなく、ねじ８をねじ孔６から緩める方向にも、端子部５の捩じれを規制することができ、どちらの方向に金具であるねじ８を回した場合でも、端子部５の捩れを防止できる。
【００２５】
さらに本実施例では、一方の壁部46が溝部47の側面として形成されるので、端子部５の先端がこの溝47に嵌まり込む状態となって、より一層端子部５の無理な変形を防止することができる。特にこの溝47は、端子部５の座部５Ｂの先端側面のみならず先端上面にも臨んでいるため、例えばアース線を端子部５に接続した状態で、このアース線が端子部５の座部５Ｂの先端を持ち上げるように引っ張られた時でも、座部５Ｂの先端上面が溝47の内面に突き当たって、同様に端子部５の変形を防止できる。このように、本実施例における凹状の溝47は、ねじ８をねじ孔６に締め付けたり緩めたりする場合に限らず、座部５Ｂの先端を持ち上げるような力が生じた場合にも、端子部５の捩れを防止できる。
【００２６】
以上のように本実施例によれば、ケース部材である樹脂ケース１や端子台本体31，41と共に筐体２をなす板金部材としての底板板金３に、ねじ孔６を有する端子部５を折曲げ形成し、前記ねじ孔６に金具であるねじ８を螺着して、このねじ８を端子部５に固定するノイズフィルタなどの電子機器において、ねじ８の固定時に端子部５に当接して、この端子部５の捩れを規制する壁部45，46を樹脂ケース１に設けている。
【００２７】
この場合、ねじ８をねじ孔６に締め付ける際に、ねじ８から端子部５に捩り力が作用するが、端子部５は樹脂ケース１に設けた壁部45，46に当接して、それ以上捩じられなくなる。即ち、底板板金３の材厚全体を厚くしたり、補強用に端子部５の基部である立上がり部５Ａを幅広にしたり、端子部５にわざわざリブ５Ｃ（図７参照）を形成しなくても、端子部５の捩じれ方向に樹脂ケース１の壁部45，46を設けるだけで、既存の端子部５をそのまま利用して、ねじ孔６にねじ８を螺着する際の端子部５の捩れを防止することが可能になる。
【００２８】
また本実施例によれば、壁部46は、ねじ８の固定時に端子部５の先端側面に当接して、この端子部５の捩れを規制するものである。
【００２９】
さらに本実施例によれば、壁部45は、ねじ８の固定時に端子部５のねじ８が締め付けられる方向の一側側面に当接して、この端子部５の捩れを規制するものである。
【００３０】
また本実施例によれば、壁部46が端子部５の端部が嵌まり込む溝47に形成されている。
【００３１】
さらに本実施例によれば、底板板金３は、樹脂ケース１の側面より外方に延び出した端子基部11，12が形成されたものであり、この端子基部11，12に端子台本体31，41と端子部５とを設けると共に、当該端子台本体31，41の側面に壁部46を形成している。
【００３２】
また本実施例によれば、端子部５が底板板金３の対角位置に設けられている。
【００３３】
さらに本実施例によれば、前記対角位置は、端子部５のねじ８が締め付けられる方向の一側側面と壁部45とがねじ８の固定時に当接する位置関係になるよう決定されるものである。
【００３４】
なお、本発明は上記実施例に限定されるものではなく、本発明の要旨の範囲において種々の変形実施が可能である。例えば上記実施例の電子機器はノイズフィルタであったが、板金部材と一体に折曲げ形成した端子部を有するあらゆる電子機器に適用が可能である。また、ケース部材としての樹脂ケース１と端子台本体31，41は別体でもよく、これらの樹脂ケース１や端子台本体31，41以外のケース部材に壁部45，46を設けてもよい。
【図面の簡単な説明】
【００３５】
【図１】本発明の一実施例における電子機器の平面図である。
【図２】同上、電子機器の正面図である。
【図３】同上、電子機器の右側面図である。
【図４】従来例における電子機器の端子部周辺の構成を示し、（ａ）はその正面図，（ｂ）はその側面図を示している。
【図５】図４において、規定トルクでねじ締めを行なった場合の端子部周辺の構成を示し、（ａ）はその正面図，（ｂ）はその側面図を示している。
【図６】従来例において、端子部の立上り部を幅広にした場合の要部構成を示し、（ａ）はその正面図，（ｂ）はその側面図を示している。
【図７】従来例において、端子部の立上り部にリブを折曲げ形成した場合の要部構成を示し、（ａ）はその正面図，（ｂ）はその側面図を示している。
【符号の説明】
【００３６】
１  樹脂ケース（ケース部材）
３  底板板金（板金部材）
５  端子部
６  ねじ孔
８  ねじ（金具）
45，46  壁部